(57)【特許請求の範囲】
【請求項１】
建物の床下に断熱材で断熱されたコンクリート内部に冷水または温水が通水可能な配管およびバルブを備えた蓄熱手段と、冷風または温風を供給するファンコイルユニットと、冷水または温水を生成するヒートポンプである熱源機と、前記熱源機により生成した冷水または温水を前記熱源機に配管接続された前記蓄熱手段と前記ファンコイルユニットとに搬送する空調用ポンプと、前記熱源機より発生する熱を取り入れる様に配管接続された給湯貯湯槽および給湯用ポンプを備え、前記給湯用ポンプが前記給湯貯湯槽の水を前記熱源機を通って循環するように搬送させ、前記バルブを開けることにより前記熱源機により生成された冷水または温水が前記配管に通水され、前記給湯貯湯槽の給湯水が前記給湯貯湯槽の上部から給湯により使用されると前記給湯貯湯槽の下部から前記給湯貯湯槽内へ給水が補給される躯体蓄熱を利用した空気調和・蓄熱・給湯システムにおいて、前記給湯貯湯槽に備えられた加熱用電気ヒータの通電を遮断するリレーと、現在時刻が認識可能なタイマー手段と、前記タイマー手段からの時刻情報から前記リレーの開閉を制御するリレー制御手段とを備え、深夜電力時間帯が開始される時から所定時間前記加熱用電気ヒータへの通電を遮断し前記熱源機による前記給湯貯湯槽の水を加熱する給湯運転を行いその後の前記加熱用電気ヒータによる前記給湯貯湯槽の水を加熱する給湯運転で深夜電力時間帯が終了する時までに前記給湯貯湯槽内の水を沸き上げるようにし、前記給湯用ポンプが前記給湯貯湯槽下部の水を前記熱源機を通って前記給湯貯湯槽下部に戻し循環するように搬送させたことを特徴とする躯体蓄熱を利用した空気調和・蓄熱・給湯システム。
【請求項２】
建物の床下に断熱材で断熱されたコンクリート内部に冷水または温水が通水可能な配管およびバルブを備えた蓄熱手段と、冷風または温風を供給するファンコイルユニットと、冷水または温水を生成するヒートポンプである熱源機と、前記熱源機により生成した冷水または温水を前記熱源機に配管接続された前記蓄熱手段と前記ファンコイルユニットとに搬送する空調用ポンプと、前記熱源機より発生する熱を取り入れる様に配管接続された給湯貯湯槽および給湯用ポンプと、前記給湯貯湯槽に備えられた加熱用電気ヒータを備え、前記給湯用ポンプが前記給湯貯湯槽の水を前記熱源機を通って循環するように搬送させ、前記バルブを開けることにより前記熱源機により生成された冷水または温水が前記配管に通水され、前記給湯貯湯槽の給湯水が前記給湯貯湯槽の上部から給湯により使用されると前記給湯貯湯槽の下部から前記給湯貯湯槽内へ給水が補給される躯体蓄熱を利用した空気調和・蓄熱・給湯システムにおいて、前記給湯用ポンプが前記給湯貯湯槽下部の水を前記熱源機を通って前記給湯貯湯槽下部に戻し循環するように搬送させた構成としたことを特徴とする躯体蓄熱を利用した空気調和・蓄熱・給湯システム。
【発明の詳細な説明】
【０００１】
【発明の属する技術分野】
本発明は、躯体蓄熱を利用した空気調和・蓄熱・給湯システム、詳しくは、夜間の電力により床下のコンクリートに冷暖房エネルギーを蓄え、また、熱源機の運転時に発生する熱を利用して給湯用の温水を生成する躯体蓄熱を利用した空気調和・蓄熱・給湯システムに関する。
【０００２】
【従来の技術】
床下のスペースを利用して行われている蓄熱方式には、コンクリートなどの蓄熱材料を床下に敷き詰め、蓄熱材料内部に配管、ダクト、空気搬送用空間を備え、冷温水や冷温風などの熱交換冷媒を送り込み蓄熱材料を冷却あるいは加熱により蓄熱することが知られている。また、冷房時に発生する熱源機の排熱を回収して給湯用温水を生成することが知られている。
【０００３】
従来、この種の空気調和・蓄熱・給湯システムは、特開平１０−２５３０９７公報に記載されたものが知られている。
【０００４】
以下に、そのシステムについて図５を参照しながら説明する。
【０００５】
図に示すように断熱材１０１で断熱された建物の床下のコンクリート１０２に設置された熱交換機１０３と、この熱交換機１０３に接続されたヒートポンプユニット１０４とを備え、ヒートポンプユニット１０４で生成された冷水または温水を送給し、建物内の床下のコンクリート１０３を冷却または加熱する。これにより床下のコンクリート１０２から輻射で室内を冷暖房する。また、ヒートポンプユニット１０４は建物内に設置した送風用熱交換機１０５が接続され空気熱交換を行って室内に温風または冷風を供給する。また、給湯用熱交換機としての給湯用コイルがヒートポンプユニット１０４に接続され、ヒートポンプユニット１０４から送られる高温冷媒により温水を作ると共にこの温水を貯湯槽１０６に蓄える構成となっていた。
【０００６】
【発明が解決しようとする課題】
給湯貯湯槽は夜間電力を利用して電気ヒータによって温水を温めるものが一般的であり、給湯によって使用された水量を補充する給水を槽下部より取り入れ給湯は槽上部から供給し、加温は槽下部の冷水を槽より取り出して電気ヒータにより加熱し槽上部より槽内に戻すように制御している。また、給湯貯湯槽内の給湯用温水は１００℃程度の高温に沸かし、給湯時に常温の給水と混合して給湯することで給湯貯湯量を確保している。しかしながら、ヒートポンプの熱源機から発生する熱により生成される温水は５０℃から６０℃程度が限界であるため、給湯用温水生成過程で給湯貯湯槽内の１００℃の温水と、給湯によって使用された水量を補充した給水とを撹拌し、給湯貯湯槽内の温水の温度を低下させてしまうという課題があり、給湯貯湯槽内の水を効率良く給湯運転できる給湯システムが要求されている。また、前述の様に、給湯貯湯槽においても電気ヒータによって温水を温めているため、熱源機による給湯運転が充分に行われないうちに給湯運転が終了してしまうという課題があり、熱源機による給湯運転が充分に発揮できる給湯システムが要求されている。
【０００７】
本発明は、このような従来の課題を解決するものであり、熱源機により給湯運転を行う際、給湯貯湯槽内の１００℃の温水と、給湯によって使用された水量を補充した給水とを撹拌することなく効率良く給湯運転を行うことができ、また、熱源機による給湯運転が充分に発揮できる躯体蓄熱を利用した空気調和・蓄熱・給湯システムを供給することを目的としている。
【００１４】
【課題を解決するための手段】
本発明の空気調和・蓄熱・給湯システムは上記目的を達成するために、建物の床下に断熱材で断熱されたコンクリート内部に冷水または温水が通水可能な配管およびバルブを備えた蓄熱手段と、冷風または温風を供給するファンコイルユニットと、冷水または温水を生成するヒートポンプである熱源機と、前記熱源機により生成した冷水または温水を前記熱源機に配管接続された前記蓄熱手段と前記ファンコイルユニットとに搬送する空調用ポンプと、前記熱源機より発生する熱を取り入れる様に配管接続された給湯貯湯槽および給湯用ポンプを備え、前記給湯用ポンプが前記給湯貯湯槽の水を前記熱源機を通って循環するように搬送させ、前記バルブを開けることにより前記熱源機により生成された冷水または温水が前記配管に通水され、前記給湯貯湯槽の給湯水が前記給湯貯湯槽の上部から給湯により使用されると前記給湯貯湯槽の下部から前記給湯貯湯槽内へ給水が補給される躯体蓄熱を利用した空気調和・蓄熱・給湯システムにおいて、前記給湯貯湯槽に備えられた加熱用電気ヒータの通電を遮断するリレーと、現在時刻が認識可能なタイマー手段と、前記タイマー手段からの時刻情報から前記リレーの開閉を制御するリレー制御手段とを備え、深夜電力時間帯が開始される時から所定時間前記加熱用電気ヒータへの通電を遮断し前記熱源機による前記給湯貯湯槽の水を加熱する給湯運転を行いその後の前記加熱用電気ヒータによる前記給湯貯湯槽の水を加熱する給湯運転で深夜電力時間帯が終了する時までに前記給湯貯湯槽内の水を沸き上げるようにしたことを特徴とする躯体蓄熱を利用した空気調和・蓄熱・給湯システムとしたものであり、深夜電力時間帯が開始される時から所定時間電気ヒータによる給湯貯湯槽の水を加熱する給湯運転を強制的に遮断し熱源機による給湯貯湯槽の水を加熱する給湯運転を優先して行い、その後の加熱用電気ヒータによる給湯貯湯槽の水を加熱する給湯運転で深夜電力時間帯が終了する時までに前記給湯貯湯槽内の水を沸き上げるようにし、前記給湯用ポンプが前記給湯貯湯槽下部の水を前記熱源機を通って前記給湯貯湯槽下部に戻し循環するように搬送させた構成としたものである。
【００１５】
本発明によれば、熱源機による給湯貯湯槽の水を加熱する給湯運転が充分に発揮できる躯体蓄熱を利用した空気調和・蓄熱・給湯システムを提供できる。また、建物の床下に断熱材で断熱されたコンクリート内部に冷水または温水が通水可能な配管およびバルブを備えた蓄熱手段と、冷風または温風を供給するファンコイルユニットと、冷水または温水を生成するヒートポンプである熱源機と、前記熱源機により生成した冷水または温水を前記熱源機に配管接続された前記蓄熱手段と前記ファンコイルユニットとに搬送する空調用ポンプと、前記熱源機より発生する熱を取り入れる様に配管接続された給湯貯湯槽および給湯用ポンプと、前記給湯貯湯槽に備えられた加熱用電気ヒータを備え、前記給湯用ポンプが前記給湯貯湯槽の水を前記熱源機を通って循環するように搬送させ、前記バルブを開けることにより前記熱源機により生成された冷水または温水が前記配管に通水され、前記給湯貯湯槽の給湯水が前記給湯貯湯槽の上部から給湯により使用されると前記給湯貯湯槽の下部から前記給湯貯湯槽内へ給水が補給される躯体蓄熱を利用した空気調和・蓄熱・給湯システムにおいて、前記給湯用ポンプが前記給湯貯湯槽下部の水を前記熱源機を通って前記給湯貯湯槽下部に戻し循環するように搬送させた構成としたことを特徴とする躯体蓄熱を利用した空気調和・蓄熱・給湯システムとしたものである。本発明によれば、熱源機のみにより給湯貯湯槽の水を加熱する給湯運転を行う際、給湯貯湯槽内の温水と、給湯によって使用された水量を補充した給水とを撹拌することなく効率良く給湯貯湯槽の水を加熱する給湯運転を行うことが可能な躯体蓄熱を利用した空気調和・蓄熱・給湯システムを提供できる。
【００１９】
【発明の実施の形態】
本発明の請求項１に記載の発明は、建物の床下に断熱材で断熱されたコンクリート内部に冷水または温水が通水可能な配管およびバルブを備えた蓄熱手段と、冷風または温風を供給するファンコイルユニットと、冷水または温水を生成するヒートポンプである熱源機と、前記熱源機により生成した冷水または温水を前記熱源機に配管接続された前記蓄熱手段と前記ファンコイルユニットとに搬送する空調用ポンプと、前記熱源機より発生する熱を取り入れる様に配管接続された給湯貯湯槽および給湯用ポンプを備え、前記給湯用ポンプが前記給湯貯湯槽の水を前記熱源機を通って循環するように搬送させ、前記バルブを開けることにより前記熱源機により生成された冷水または温水が前記配管に通水され、前記給湯貯湯槽の給湯水が前記給湯貯湯槽の上部から給湯により使用されると前記給湯貯湯槽の下部から前記給湯貯湯槽内へ給水が補給される躯体蓄熱を利用した空気調和・蓄熱・給湯システムにおいて、前記給湯貯湯槽に備えられた加熱用電気ヒータの通電を遮断するリレーと、現在時刻が認識可能なタイマー手段と、前記タイマー手段からの時刻情報から前記リレーの開閉を制御するリレー制御手段とを備え、深夜電力時間帯が開始される時から所定時間前記加熱用電気ヒータへの通電を遮断し前記熱源機による前記給湯貯湯槽の水を加熱する給湯運転を行いその後の前記加熱用電気ヒータによる前記給湯貯湯槽の水を加熱する給湯運転で深夜電力時間帯が終了する時までに前記給湯貯湯槽内の水を沸き上げるようにし、前記給湯用ポンプが前記給湯貯湯槽下部の水を前記熱源機を通って前記給湯貯湯槽下部に戻し循環するように搬送させたことにより、深夜電力時間帯が開始される時から所定時間電気ヒータによる給湯貯湯槽の水を加熱する給湯運転を強制的に遮断し熱源機による給湯貯湯槽の水を加熱する給湯運転を優先して行い、その後の加熱用電気ヒータによる給湯貯湯槽の水を加熱する給湯運転で深夜電力時間帯が終了する時までに前記給湯貯湯槽内の水を沸き上げるようにしたことで、熱源機による給湯貯湯槽の水を加熱する給湯運転が充分に発揮できるという作用を有する。また、請求項２に記載の発明は、建物の床下に断熱材で断熱されたコンクリート内部に冷水または温水が通水可能な配管およびバルブを備えた蓄熱手段と、冷風または温風を供給するファンコイルユニットと、冷水または温水を生成するヒートポンプである熱源機と、前記熱源機により生成した冷水または温水を前記熱源機に配管接続された前記蓄熱手段と前記ファンコイルユニットとに搬送する空調用ポンプと、前記熱源機より発生する熱を取り入れる様に配管接続された給湯貯湯槽および給湯用ポンプと、前記給湯貯湯槽に備えられた加熱用電気ヒータを備え、前記給湯用ポンプが前記給湯貯湯槽の水を前記熱源機を通って循環するように搬送させ、前記バルブを開けることにより前記熱源機により生成された冷水または温水が前記配管に通水され、前記給湯貯湯槽の給湯水が前記給湯貯湯槽の上部から給湯により使用されると前記給湯貯湯槽の下部から前記給湯貯湯槽内へ給水が補給される躯体蓄熱を利用した空気調和・蓄熱・給湯システムにおいて、前記給湯用ポンプが前記給湯貯湯槽下部の水を前記熱源機を通って前記給湯貯湯槽下部に戻し循環するように搬送させた構成としたものであり、熱源機のみにより給湯貯湯槽の水を加熱する給湯運転を行う際、給湯貯湯槽内の温水を撹拌することなく給湯貯湯槽の水を加熱する給湯運転を行うという作用を有する。
【００２０】
以下、本発明の実施例について添付図面を参照しながら説明する。
【００２１】
【実施例】
（実施例１）
図１に示すように、蓄熱手段１は、建物の床下に周囲を断熱材で断熱されたコンクリート内部に、冷水または温水が通水可能な配管２およびバルブ３を備えており、バルブ３を開けることにより、熱源機４により生成された冷水または温水が配管２に通水され、蓄熱手段１のコンクリートを冷却または加熱し熱を蓄える。蓄熱手段１の上面は断熱材で断熱されておらず、コンクリートに蓄えられた熱が輻射熱となり建物内部へ放出される。ファンコイルユニット５は建物内に設置されており、蓄熱手段１と共に熱源機４に配管接続されている。ファンコイルユニット５が空調運転を行う場合、熱源機４により生成された冷水または温水がファンコイルユニット５内部の熱交換コイルに通水され、同内部のファンの運転により建物内部の空間に冷風または温風を供給する。蓄熱手段１およびファンコイルユニット５への通水は、空調用ポンプ６によって搬送される。また、給湯貯湯槽７も熱源機４と配管接続されており、給湯用ポンプ８が給湯貯湯槽７下部の水を熱源機４を通って給湯貯湯槽７下部に戻し循環するように搬送させ、熱源機４により発生する熱で循環する水を加熱させ、給湯貯湯槽７下部の冷水の温度を上昇させる。熱源機４により給湯貯湯槽の水を加熱する給湯運転については、給湯貯湯槽７の槽中央部には、槽内の水温度を検知する槽内温度検知手段９が備えられており、検知した槽内の水温度信号を給湯運転開始判定手段１０へ送信している。給湯運転開始判定手段１０は、給湯貯湯槽７の給湯水が給湯貯湯槽７の上部から給湯により使用（図４に図示）され、槽内へ給湯貯湯槽７の下部から給水が補給（図４に図示）されると、給水された冷水の水位が上昇していき、槽内温度検知手段９が設置されている位置まで達すると、その温度変化を検知して熱源機４による給湯貯湯槽の水を加熱する給湯運転の開始を判断している。また、給湯温度検知手段１１は、熱源機４と給湯貯湯槽７とを接続する配管内の温度を検知するように備えられており、検知した配管内の水温度信号を給湯運転終了判定手段１２へ送信している。給湯運転終了判定手段１２は、熱源機４により発生した熱で加熱された給湯貯湯槽７下部の給湯水の温度が、熱源機４から発生する熱で加熱できる限界温度である５０℃に達すると、熱源機４による給湯貯湯槽の水を加熱する給湯運転の終了を判断している。制御手段１３は、給湯運転開始判定手段１０および給湯運転終了判定手段１２からの判断結果から、給湯用ポンプ８の運転を制御する構成としている。
【００２２】
給湯用ポンプが給湯貯湯槽下部の水を熱源機を通って前記給湯貯湯槽下部に戻し循環するように搬送させた上記構成により、熱源機のみにより給湯貯湯槽の水を加熱する給湯運転を行う際、給湯貯湯槽内の温水を撹拌することなく給湯貯湯槽の水を加熱する給湯運転を行うことができる。
【００２３】
したがって、熱源機のみにより給湯貯湯槽の水を加熱する給湯運転を行う際、給湯貯湯槽内の１００℃の温水と、給湯によって使用された水量を補充した給水とを撹拌することなく効率良く給湯貯湯槽の水を加熱する給湯運転を行うことが可能な躯体蓄熱を利用した空気調和・蓄熱・給湯システムが実現できる。
【００２４】
なお、実施例では、槽内温度検知手段９を給湯貯湯槽７の槽中央部へ備える構成としたが、熱源機４で発生する熱量や、給湯用ポンプ８の搬送能力に応じて設置する位置が変えられる仕組みとしても良い。
【００２５】
また、槽内温度検知手段９を給湯貯湯槽７の複数部分に備え、給水の水位をきめ細かく検知し、給湯用ポンプ８の運転を制御するとなお良い。
【００２６】
（参考例１）
図２に示すように、制御手段１３には、現在時刻が認識可能なタイマー手段１４と、ファンコイルユニット５の運転状態を監視する空調運転監視手段１５と、蓄熱手段１による蓄熱運転状態を監視する蓄熱運転監視手段１６とが備えられている。空調運転監視手段１５は、タイマー手段１４が午後８時から午後１１時を示している間、ファンコイルユニット５の運転の有無を監視する。前述の時間内は、居住者が建物内に滞在し、１日の生活の疲れを癒す憩いの時間であり、冷暖房が必要なシーズンであればファンコイルユニット５を運転する。また、ファンコイルユニット５を運転しなかった場合は、その後の時間も運転しないであろうと想定されるため、熱源機４が冷房運転の運転サイクルであった場合、暖房運転の運転サイクルへ切り換えて給湯運転をする条件となる。蓄熱運転監視手段１６は、タイマー手段１４が午前６時を示した時、蓄熱手段１の運転の有無を監視する。蓄熱運転は、深夜電力時間帯の終了時間である午前７時まで行われるため、午前６時の時点で蓄熱運転が行われていなければ、その日の蓄熱運転が行われていないことが認識できる。また、午後１１時の時点で蓄熱運転が行われなかった次の日は蓄熱運転が行われない可能性が高いため、熱源機４が冷房運転の運転サイクルであった場合、暖房運転の運転サイクルへ切り換えて給湯運転を行う条件となる。熱源機４の冷暖房運転の運転サイクルを暖房サイクルに切り換えての給湯運転は、電気料金が安価な深夜電力時間帯となる午後１１時から行うことから、サイクル切換手段１７は、タイマー手段１４が午後１１時を示した時、空調運転監視手段１５および蓄熱運転監視手段１６からの監視結果から、制御手段１３が給湯用ポンプ８の運転を制御する際、熱源機４の冷暖房運転の運転サイクルを暖房サイクルに切り換える構成としている。
【００２７】
上記構成により、空調運転、蓄熱運転の運転状態から給湯運転を制御する熱源機への過剰な負担をかけずに給湯運転を行うことができる。
【００２８】
したがって、熱源機への過剰な負担をかけずに給湯運転を行うことが可能な躯体蓄熱を利用した空気調和・蓄熱・給湯システムが実現できる。
【００２９】
なお、参考例では、空調運転監視手段１５は、タイマー手段１４が午後８時から午後１１時までを監視時間としているが、午後１１時以降のファンコイルユニットの運転が予測できる時間帯であれば、どのような時間帯でも良い。
【００３０】
また、蓄熱運転監視手段１６は、午前６時の時点での蓄熱運転状態を監視しているが、前日からの蓄熱運転が判断できる時間であれば、どの時間でも良い。また、前日からの蓄熱運転が判断できる方法であれば、どのような方法でも良く、さらには、制御手段１３に居住者による入力が可能な蓄熱運転スイッチなどの入力手段を設け、そのスイッチの状態で蓄熱運転の判断を直接行っても良い。
【００３１】
（参考例２）
図３に示すように、熱源機４には圧縮機停止検知手段１８が、熱源機４に備えられた圧縮機がサーモ停止をするか監視するように接続されている。熱源機４は、空調用熱交換器の出口水温度を監視しており、出口水温度が設定温度である冷房時７℃、暖房時５０℃を超える時、つまり、中間期でもともと空調負荷が軽負荷の時や、建物内の温度が設定温度に達すると熱源機により生成した冷水または温水はファンコイルユニット５あるいは蓄熱手段１で熱交換されず設定温度を超える水温となるため、圧縮機の運転が不用となり圧縮機のサーモ停止を行う。圧縮機停止検知手段１８は、熱源機４が暖房運転サイクルで運転中に圧縮機を停止する前述の条件となり、圧縮機を停止しようとするのを検知すると、給湯用ポンプ８を動作させて給湯運転を開始する構成としている。
【００３２】
上記構成により、熱源機４の圧縮機を停止させることなく、給湯運転を行うことができる。
【００３３】
したがって、軽負荷時に発生する熱源機の圧縮機の発停回数を減少させ、熱源機への負担を軽減し、また、圧縮機の起動電力および圧縮機の立ち上げ時の電力等無駄な電力を押さえ、さらに同時に給湯運転を行うことで効率良い電力の使用が可能な躯体蓄熱を利用した空気調和・蓄熱・給湯システムが実現できる。
【００３４】
（実施例２）
図５に示すように、給湯貯湯槽７に備えられた加熱用電気ヒータの電気回路内に加熱用電気ヒータへの通電を遮断するようにリレー１９を備え、リレー１９はリレー制御手段２０によって開閉を制御するように接続されている。給湯貯湯槽７に備えられた加熱用電気ヒータによる給湯貯湯槽の水を加熱する給湯運転は、深夜電力時間帯が開始される午後１１時から開始され、深夜電力時間帯が終了する午前７時に終了する。リレー制御手段２０は、タイマー手段が午後１１時から午前１時までの２時間、リレー１９を開放状態にし、加熱用電気ヒータへの通電を遮断する構成としている。
【００３５】
上記構成により、電気ヒータによる給湯貯湯槽の水を加熱する給湯運転を強制的に遮断し、熱源機４による給湯貯湯槽の水を加熱する給湯運転を優先して行うことができる。
【００３６】
したがって、熱源機による給湯貯湯槽の水を加熱する給湯運転が充分に発揮できる躯体蓄熱を利用した空気調和・蓄熱・給湯システムが実現できる。
【００３７】
なお、実施例では、加熱用電気ヒータへの通電を遮断する時間を２時間としたが、加熱用電気ヒータの能力が、その後の給湯貯湯槽の水を加熱する給湯運転で深夜電力時間帯が終了する午前７時までに給湯貯湯槽７内の水を沸き上げることが可能であれば、どのような時間でもよい。
【００４１】
【発明の効果】
以上の実施例から明らかなように、本発明によれば、深夜電力時間帯が開始される時から所定時間前記加熱用電気ヒータへの通電を遮断しヒートポンプである前記熱源機による前記給湯貯湯槽の水を加熱する給湯運転を行いその後の前記加熱用電気ヒータによる前記給湯貯湯槽の水を加熱する給湯運転で深夜電力時間帯が終了する時までに前記給湯貯湯槽内の水を沸き上げるようにし、給湯用ポンプが前記給湯貯湯槽下部の水を前記熱源機を通って前記給湯貯湯槽下部に戻し循環するように搬送させたことにより、電気ヒータによる給湯貯湯槽の水を加熱する給湯運転を強制的に遮断し、熱源機による給湯貯湯槽の水を加熱する給湯運転を優先して行うことで、熱源機による給湯貯湯槽の水を加熱する給湯運転が充分に発揮できるという有利な効果が得られる躯体蓄熱を利用した空気調和・蓄熱・給湯システムを提供できる。また、本発明によれば、給湯用ポンプが給湯貯湯槽下部の水をヒートポンプである熱源機を通って前記給湯貯湯槽下部に戻し循環するように搬送させた構成により、熱源機のみにより給湯貯湯槽の水を加熱する給湯運転を行う際、給湯貯湯槽内の温水と、給湯によって使用された水量を補充した給水とを撹拌することなく効率良く給湯貯湯槽の水を加熱する給湯運転を行うことが可能となる有利な効果が得られる躯体蓄熱を利用した空気調和・蓄熱・給湯システムを提供できる。
【図面の簡単な説明】
【図１】  本発明の実施例１の躯体蓄熱を利用した空気調和・蓄熱・給湯システムを概略的に示す回路構成図
【図２】  参考例１の躯体蓄熱を利用した空気調和・蓄熱・給湯システムを概略的に示す回路構成図
【図３】  参考例２の躯体蓄熱を利用した空気調和・蓄熱・給湯システムを概略的に示す回路構成図
【図４】  本発明の実施例２の躯体蓄熱を利用した空気調和・蓄熱・給湯システムを概略的に示す回路構成図
【図５】  従来の空調システムの回路構成を概略的に示す回路構成図
【符号の説明】
１    蓄熱手段
２    配管
３    バルブ
４    熱源機
５    ファンコイルユニット
６    空調用ポンプ
７    給湯貯湯槽
８    給湯用ポンプ
９    槽内温度検知手段
１０  給湯運転開始判定手段
１１  給湯温度検知手段
１２  給湯運転終了判定手段
１３  制御手段
１４  タイマー手段
１５  空調運転監視手段
１６  蓄熱運転監視手段
１７  サイクル切換手段
１８  圧縮機停止検知手段
１９  リレー
２０  リレー制御手段
【図１】
0004518294.tif 000002
【図２】
0004518294.tif 000003
【図３】
0004518294.tif 000004
【図４】
0004518294.tif 000005
【図５】
0004518294.tif 000006